(57)【要約】【課題】芳香成分による目詰まりが起こりにくく、何回でも使用可能な芳香材を用いて、繰り返して取り出し可能な形で芳香をデバイスに記憶させることができる録香方法を提供する。【解決手段】本発明の録香方法は、多孔質骨格構造を有する多孔性配位高分子を用いて、多孔性配位高分子に芳香成分を吸着又は吸蔵させることによって行われるものであり、（ａ）多孔性配位高分子に芳香成分を滴下する工程と、前記多孔性配位高分子及び芳香成分を攪拌する工程とを備えるか、又は（ｂ）多孔性配位高分子と、芳香成分とを容器に封入する工程を備え、必要に応じて、さらに前記容器に送風する工程を備える。【選択図】図１
2019205772.tif 000002
【特許請求の範囲】
【請求項１】
多孔質骨格構造を有する多孔性配位高分子を用いた録香方法であって、前記多孔性配位高分子に芳香成分を吸着又は吸蔵させる録香方法。
【請求項２】
前記録香方法が、前記多孔性配位高分子に前記芳香成分を滴下する工程と、前記多孔性配位高分子及び芳香成分を攪拌する工程とを備える、請求項１に記載の録香方法。
【請求項３】
前記録香方法が、前記多孔性配位高分子と、前記芳香成分とを容器に封入する工程を備える、請求項１に記載の録香方法。
【請求項４】
さらに、前記容器に送風する工程を備える、請求項３に記載の録香方法。
【請求項５】
前記多孔質骨格構造を有する多孔性配位高分子が、イミダゾール骨格、フタル酸骨格、トリメシック酸骨格からなる群から選ばれる少なくとも１種類以上の化学構造が含まれる有機配位子を有する、請求項１〜４のいずれか一項に記載の録香方法。
【請求項６】
前記多孔質骨格構造を有する多孔性配位高分子が、Ａｌ、Ｆｅ、Ｚｎ、Ｃｕからなる群から選ばれる少なくとも１種類以上の金属のイオンを含む、請求項１〜５のいずれか一項に記載の録香方法。
【請求項７】
前記芳香成分として、分子量が１００〜３００である芳香分子を使用する、請求項１〜６のいずれか一項に記載の録香方法。
【発明の詳細な説明】
【技術分野】
【０００１】
本発明は、多孔性配位高分子を用いた録香方法に関する。
【背景技術】
【０００２】
ニオイや芳香は、気化した芳香成分が嗅覚に受容されることで初めて感じることができるといわれている。この芳香成分からなる芳香材料には、液状のもの、稀釈したもの、ゲル状物としたもの、固体中に練りこんで成形したものなど、様々な状態のものがある。また、気化させる方法は表面蒸発させる方法、加熱して固液状のものを気化させる方法などがある。しかし、一般に芳香分子は揮発性が高く、加熱などの刺激を与えなくとも表面から蒸発や固液から直接気化して材料の周囲に拡散し、雰囲気中に僅かな濃度で存在するだけでも、ニオイや芳香として感じてしまう。従って、気化が起こりやすい液状またはゲル状材料の場合には、ニオイや芳香を感じさせないためには、物理的に密閉するか、他の材料と組成物を作り、固体成形した状態にしておかなければならない。天然物の例外として、常態ではほとんど芳香せず、加熱することで特有の芳香をするものとしては、香木の一種である沈香が知られている。しかし、沈香は人工的に製造することが難しいため高価で、また、芳香する分子を人為的に選択することはできない。沈香のように加熱して初めて芳香を感じ、さらに、芳香する分子を意図的に選ぶことができるような人工の材料があれば、新たな芳香、感覚の世界を切り拓くことができる。
【先行技術文献】
【非特許文献】
【０００３】
【非特許文献１】化学総説Ｎｏ．１４  味とにおいの化学、日本化学会、昭和５１年初版、昭和６０年第５刷
【発明の概要】
【発明が解決しようとする課題】
【０００４】
従来の芳香材は芳香の発生のみに特化しており、芳香を吸着する機能は持っていないのがほとんどである。脱臭剤を用いて匂い成分を吸着する場合も、脱着剤の非可逆的な吸着機能により、再び匂いを発生させることができなかった。
【０００５】
一方、繰り返して取り出し可能な形で芳香を、例えば、小型で、携帯型又は据え付け型のデバイスとして利用したいというニーズは従来からあったが、上記のような従来の芳香材ではこのニーズに対して応えることができなかった。本発明により、芳香成分による目詰まりが起こりにくく、何回でも使用可能な芳香材を用いて、繰り返して取り出し可能な形で芳香をデバイスに記憶させることができる「録香」の方法を提供する。
【課題を解決するための手段】
【０００６】
前記課題を達成するための具体的手段は以下の通りである。
本発明は、多孔質骨格構造を有する多孔性配位高分子を用いた録香方法であって、前記多孔性配位高分子に芳香成分を吸着又は吸蔵させる録香方法を提供する。
【０００７】
また、本発明の録香方法は、前記録香方法が、前記多孔性配位高分子に前記芳香成分を滴下する工程と、前記多孔性配位高分子及び芳香成分を攪拌する工程とを備えることが好ましい。
【０００８】
また、本発明の録香方法は、前記録香方法が、前記多孔性配位高分子と、前記芳香成分とを容器に封入する工程を備えることが好ましい。
【０００９】
また、本発明の録香方法は、前記多孔性配位高分子と、前記芳香成分とを容器に封入する工程に加え、さらに、前記容器に送風する工程を備えることが好ましい。
【００１０】
また、本発明の録香方法は、前記多孔質骨格構造を有する多孔性配位高分子が、イミダゾール骨格、フタル酸骨格、トリメシック酸骨格からなる群から選ばれる少なくとも１種類以上の化学構造が含まれる有機配位子を有することが好ましい。
【００１１】
また、本発明の録香方法は、前記多孔質骨格構造を有する多孔性配位高分子が、Ａｌ、Ｆｅ、Ｚｎ、Ｃｕからなる群から選ばれる少なくとも１種類以上の金属のイオンを含むことが好ましい。
【００１２】
また、本発明の録香方法は、前記芳香成分として、分子量が１００〜３００である芳香分子を使用することが好ましい。
【発明の効果】
【００１３】
本発明によれば、固体状、液状の芳香成分を化学的安定な状態で小型デバイスに組み込むことができる。それにより前記小型デバイスから好きな時に好きな香りを放出させることができるとともに、繰り返して前記小型デバイスに芳香成分を保存することが可能となる。
【図面の簡単な説明】
【００１４】
【図１】送風によって芳香成分を多孔性配位高分子に貯蔵するときの実験装置の一例を示す概略図である。
【発明を実施するための形態】
【００１５】
（録香の定義）
録香とは、香り（芳香成分）を吸蔵することをいう。録香により吸蔵された香りは任意のタイミングで放出することが可能である。芳香成分とは花や草木、体臭などの天然成分やそれを濃縮したエッセンシャルオイル、人工的に合成された芳香成分、およびこれらの混合が挙げられる。
録香の方法としては、貯蔵材と芳香成分を接触させる方法が挙げられる。接触の方法も特に限られず、例えば１）固体の貯蔵材と気体の芳香成分（固体や液体から生じる蒸気成分も含む）、２）固体の貯蔵材と液体の芳香成分、３）固体の貯蔵材と固体の芳香成分を接触させる方法が挙げられる。
【００１６】
本発明の緑香方法は、上述した１）〜３）の接触を効果的に行うため、特に、次に挙げる（方法１）、（方法２）及び（方法３）の何れかの方法を採用することが好ましい。すなわち、貯蔵材と芳香分子とを接触させる方法（方法１）、貯蔵材と芳香分子とを容器に封入する方法（方法２）、貯蔵材と芳香分子とを容器に封入し容器に送風する方法（方法３）の３つである。
【００１７】
本発明は、あらかじめ上記（方法１）〜（方法３）の少なくともいずれかの方法で芳香成分を吸着又は吸蔵させた前記ＭＯＦをデバイスの内部に入れて携帯型又は据え置き型の小型デバイスとして使用することができる。また、前記ＭＯＦをデバイス中に入れた後、上記（方法１）〜（方法３）の少なくともいずれかの方法によって芳香成分を吸着又は吸蔵させてもよい。デバイスからの芳香の減少を感知したり、センサ等の測定によって分かる場合には、適宜、上記（方法１）〜（方法３）で芳香成分を前記ＭＯＦに吸着又は吸蔵させることにより補充することができる。そのような方法により、繰り返して取り出し可能な形で芳香をデバイスに記憶させることができる。
【００１８】
次に、方法１〜方法３についていつくかの例を挙げて説明する。
方法１は、スポイトやシリンジで芳香分子を貯蔵材に滴下する方法や、霧吹きのような微小液滴として貯蔵材に加える方法、さらに溶液として静かに流し込む方法が挙げられる。中でもスポイトで滴下する方法が好ましい。
【００１９】
方法２は、室温で静置する方法、容器を加熱する方法、容器内に温度勾配を設けて芳香分子を加熱、貯蔵材を冷却する方法を含む。
【００２０】
方法３で用いる送風機は、ドライヤーなどのモーターによる送風機能を持つ装置や、手動で動く装置を含む。送風機と共に封入する貯蔵材は、飛散しないように通気性のフィルターで挟むことが好ましい。
【００２１】
特に方法２と方法３は、カンファーやメントールのような昇華性の固体芳香分子を用いることができる。
【００２２】
（多孔性配位高分子）
多孔質骨格構造を有する多孔性配位高分子とは、金属イオンと有機配位子から構成される結晶性固体のことである。金属有機構造体（ＭＯＦ：Ｍｅｔａｌ  Ｏｒｇａｎｉｃ  Ｆｒａｍｅｗｏｒｋｓ）や多孔高分子金属錯体（ＰＣＰ：Ｐｏｒｏｕｓ  Ｃｏｏｒｉｄｎａｔｉｏｎ  Ｐｏｌｙｍｅｒｓ）とも呼ばれる。
【００２３】
多孔性配位高分子内部に、三次元骨格と、該三次元骨格によって仕切られて形成された、三次元的に規則正しく整列した、細孔及び／又は中空とを有する。
【００２４】
用いる金属イオンはＳｃ、Ｔｉ、Ｖ、Ｃｒ、Ｍｎ、Ｃｏ、Ｃｕ、Ｙ、Ｚｒ、Ｎｂ、Ｍｏ、Ｔｃ、Ｒｕ、Ｒｈ、Ａｇ、Ｈｆ、Ａｌ、Ｚｎ、Ｆｅ、Ｔａ、Ｗ、Ｒｅ、Ｏｓ及びＩｒからなる群から選ばれる少なくとも１種の金属のイオンである。
用いる金属イオンは、特にＡｌ、Ｆｅ、Ｚｎ、Ｃｕのイオンであることが好ましい。中でもＺｎイオンであることが好ましい。
【００２５】
上記金属イオンに配位結合する有機配位子としては、１，２，４，５−テトラキス（４−カルボキシフェニル）ベンゼン、１，３，５−トリス（４’−カルボキシ［１，１’−ビフェニル］−４−イル）ベンゼン、１，３，５−トリス（４−カルボキシフェニル）ベンゼン、ベンゼン−１，３，５−トリカルボン酸、２，５−ジヒドロキシテレフタル酸、２，６−ナフチレンジカルボン酸、２−ヒドロキシテレフタル酸、３，３’，５，５’−テトラカルボキシジフェニルメタン、４，４’，４”−Ｓ−トリアジン−２，４，６−トリイル−トリス（ベンジルオキシ）安息香酸、９，１０−アントラセンジカルボン酸、ビフェニル−３，３’，５，５’−テトラカルボン酸、ビフェニル−３，４’，５−トリカルボン酸、テレフタル酸（ＢＤＣ）、トリメシン酸（ＢＴＣ）、[１，１’：４’，１”]テルフェニル−３，３’，５，５’−テトラカルボン酸、イミダゾール、２−メチルイミダゾール、２，４，６−トリ（４−ピリジル）−１，３，５−トリアジン（ＴＰＴ）が挙げられる。
【００２６】
上記に挙げた有機配位子の中では、特に２−メチルイミダゾール、テレフタル酸、ベンゼン−１，３，５−トリカルボン酸が好ましい。このように、有機配位子としては、イミダゾール骨格、フタル酸骨格、トリメシック酸骨格からなる群から選ばれる少なくとも１種類以上の化学構造が含まれるものが好ましい。それらの中でも、メチルイミダゾールとベンゼン−１，３，５−トリカルボン酸が特に好ましい。
【００２７】
（芳香成分）
芳香成分とは、人間や動物の嗅覚受容体に作用することで匂いとして認識される、化合物群や混合物分郡のことである。匂いとして感知される閾値濃度は芳香分子の種類により異なるが、数ｐｐｂから数百ｐｐｍの範囲にある。形態は固体、液体、気体の３つがあるが、室温で閾値以上の濃度の蒸気圧に到達することができる。
【００２８】
貯蔵材に吸着する芳香成分には、天然で得られるものと合成して得られるものの一方、あるいは両方を含む。
【００２９】
液体の芳香分子は、水溶性および油溶性のいずれであってもよい。モノテルペン炭化水素類、モノテルペンアルコール類、フェノール類、フェノールメチルエーテル類、セスキテルペン炭化水素類、セスキテルペンアルコール類、ケトン類、ラクトン類、カルボン酸類、ジテルペンアルコール類、アルデヒド類、エステル類、オキサイド（炭化物）類のうちのいずれか１つまたはそれらを所定の割合でブレンドした混合物が含まれる。
【００３０】
モノテルペン炭化水素類の主な芳香分子には、ピネン、リモネン、ミルセン、テルピネン、テルピノレン、δ−３−カレン、トリサイクレン、カンフェン、サビネン、オシメン、シメン、フェランドレン、パラシメン、ヒマカレン、カラレンがある。モノテルペンアルコール類の主な芳香分子には、シトロネロール、ゲラニオール、テルピネン−４−ｏｌ、ツヤノール−４、メントール、イソプレゴール、リナロール、テルピネオール、ネロール、ボルネオール、ネロリドールがある。フェノール類の主な芳香成分には、アネトール、カルバクロール、オイゲノール、チモール、パラクレゾール、カビコールがある。フェノールメチルエーテル類の主な芳香成分には、トランスアネトール、サフロール、チャビコール・メチルエーテル、パラクレゾール・メチルエーテル、イソオイゲノール・メチルエーテル、オイゲノール・メチルエーテルがある。
【００３１】
セスキテルペン炭化水素類の主な芳香成分には、αガイエン、カジネン、カマズレン、βカリオフィレン、ビサボレン、セリネン、βセスキフェランドレン、クルゼノン、セイチュレン、デハイドロアズリン、ゲルマクレンＤ、コバエン、セドレン、ファネッセン、ジンジベレン、ツヨブセン、リンデステレン、αパチュレン、ブルネッセンがある。セスキテルペンアルコール類の主な芳香成分には、セドロール、カジノール、サンタロール、グロブロール、ピリディフロロール、ネロリドール、パチュロール、レドール、キャトロール、エレモール、スパスレロールがある。
【００３２】
ケトン類の主な芳香成分には、カンファー、アセトフェノン、ジャスモン、ノートカトン、ビノカンフォン、ベルベノン、ピペリトン、メントン、フェンコン、カルボン、プレゴン、アトラントン、ピノカルボン、メチルイソブチルがある。ラクトン類の主な芳香成分には、クマリン、フロクマリン、ジャスミンラクトン、ジャスモン、ベルガプテンがある。カルボン酸類の主な芳香成分には、安息香酸、ケイ皮酸がある。ジテルペンアルコール類の主な芳香成分には、スクラレオール、フィトール、イソフィトールがある。
【００３３】
アルデヒド類の主な芳香成分には、シトラール、シトロネロール、ミルテナール、アセトアルデヒド、ペリルアルデヒド、ピペロナール、ワニリン、デカナール、ノナナール、ヘキサナール、ヘプタナールがある。エステル類の主な芳香成分には、酢酸テルピニル、酢酸リナリル、酢酸ネリル、酢酸オイゲノール、酢酸ゲラニル、アンゼリカ酸イソブチル、酢酸ボルニル、酢酸ミルテニル、安息香酸コンフィニル、安息香酸シンナミル、安息香酸メチル、安息香酸ベンジル、蟻酸ゲラニル、蟻酸シトロネリル、アンゼリカ酸メチル、酢酸ベンジルがある。オキサイド（炭化物）類の主な芳香成分には、カリオフィレンオキサイド、ビサボロールオキサイド、１，８シネオール、リナロールオキサイド、ローズオキサイドがある。
【００３４】
芳香分子としては、上述した化合物のいずれも使用することができ、分子量について特に制限はないが、後述する多孔質骨格構造を有する多孔性配位高分子の空孔サイズより小さいサイズの分子であることが好ましい。また、加熱等の刺激を受けないときに勝手に放出しないように、芳香分子はあるサイズ以上の大きさを有することが好ましい。具体的には、サイズの目安となる分子量は８０〜１０００であり、好ましくは９０〜５００である。さらに、芳香分子の分子量が１００〜３００に含まれるものを用いることが好ましい。
【００３５】
特に、上記で挙げた化合物の中では、リモネン、２−フェニルエタノール、ドデカナール、カンファー、ゲラニオール、ネロール、シトロネロール、シトラール、インドール、フルフリルメチルジスルフィド、ノートカトン、ムスコン、酢酸リナリル、メチルジャスモネート、リナロールや、これらを所定の割合で混合したものが好ましい。
【００３６】
混合物としては、アロマオイルやエッセンシャルオイル（精油）が挙げられる。
アロマオイルやエッセンシャルオイルとしては、アサフェティダ、アジョワン、アニスシード、アミリス、アンジェリカシード、アンジェリカルート、アンブレッドシード、イニュラ、イモーテル（ヘリクリサム）、イランイラン、イリス、ウインターグリーン、ウインターセイボリー、エレミ、オークモス、オールスパイス、オニオン、オポポナックス、オレガノ、オレンジ・スイート、オレンジビター、カーネーション、ガーリック、カナンガ、カボス、カモミール・ジャーマン、カモミール・ローマン、カヤ、カユプテ、カラマス、カラミント、ガランガル、カルダモン、ガルバナム、キャラウェイ、キャロットシード、キンモクセイ、クエラ（アンミ）、カンファー、クミン、クラリセージ、グレープフルーツ、クローブ、クロモジ、ゲットウ、コウヤマキ、コスタス、コパイバ、コリアンダー、サイプレス、サマーセイボリー、サンダルウッド、シストローズ、シソ、シダーウッド・アトラス、シトロネラ、シナモンカッシア、シナモンバーク、シナモンリーフ、シベリアモミ、ジャスミン、ジュニパーベリー、シルバーファー、ジンジャー、スギ、スターアニス、スダチ、スパイクナード、スパイク・ラベンダー、スパニッシュセージ、
スペアミント、セージ、ゼラニウム、セロリシード、セントジョンズワート、ターメリック、タイムマストキナ、タイム・リナロール、タジェット、タナセタム、ダバナ、タラゴン、タンジー、コモンタンジー、タンジェリン、チャンパカ、チュベローズ、ティートゥリー、ディル、ナツメグ、ナルシス、ニアウリ・シネオール、ネロリ、バイオレットリーフ、パイン、バジル・リナロール、パセリ、パチュリ、ハッカ、バニラ、バルサムファー、パルマローザ、バレリアン、ヒソップ、ビターアーモンド、ヒノキ、ヒバ、ヒヤシンス、フェンネル、プチグレン、プチグレンマンダリン、ブチュー、ブラックスプルース、ブラックペッパー、フランキンセンス、フランジュパニ、ブルーサイプレス、ブルームスパニッシュ、ベチバー、ペニーロイヤル、ペパーミント、ヘムロック・スプルース、ベルガモット、ベルガモットミント、ベンゾイン（安息香）、ホーリーフ、マートル、マジョラム・スイート、マスタード、マスティックトゥリー、マヌカ、マンダリン、ミモザ、ミルラ、メリッサ（レモンバーム）、モミ、ヤロウ、ユズ、ユーカリ・グロブルス、ユーカリ・シトリオドラ、ユーカリ・ラディアータ、ライム、ラヴィンサラ、ラバンディン、ラブラドルティ、ラベンサラ、ラベンダー、ランタナ、リツエアクベバ、リンデン、レモン、
レモングラス、レモンバーベナ、レモンマートル、ローズ・アブソリュート、ローズウッド、ローズオットー（ダマスクローズ）、ローズマリー、ローズマリー・シネオール、ローズマリー・ベルベノン、ロータス、ローレル、ロザリーナ、ロベージ、ワイルドタイムが好ましい。
【００３７】
特に、上記で挙げた混合物の中では、グレープフルーツ、ペパーミント、ラベンダー、ティートゥリー、ローズマリーが好ましい。
【００３８】
本発明の録香方法によって、上述した多孔質骨格構造を有する多孔性配位高分子に芳香分子が録香できているかどうかは、ガスクロマトグラフ又は質量分析装置を用いて芳香、ニオイを分析することによって調べることができる。同時に、録香される芳香分子の種類についても分析を行うことも可能である。本発明で使用する多孔質骨格構造を有する多孔性配位高分子に種々の芳香分子や混合物を吸着させ、加熱しながら放出される成分を定量的もしくは定性的に分析し、芳香やニオイを正確に再現できるか把握することができる。
【実施例】
【００３９】
以下、本発明を実施例により具体的に説明するが、本発明はこれらの実施例に限定されるものではない。尚、特に断りのない限り、「％」は質量基準である。
【００４０】
実施例１：直接混合の例
サンプルバイアル（ラボランスクリュー管瓶Ｎｏ．３）９ｍＬに入れた貯蔵材ＭＯＦ（Ｓｉｇｍａ−Ａｌｄｒｉｃｈ社製、Ｂａｓｏｌｉｔｅ  Ｚ３７７、製品番号Ａｌｄｒｉｃｈ  ７９４３２５）０．４７５ｇに、芳香分子の混合物（グレープフルーツエッセンシャルオイル、株式会社生活の木製）を０．１３ｇ滴下した後、スパチュラで１０秒攪拌し、蓋を閉じた後、容器全体を振り、３５ｒｐｍで１２時間攪拌し、粉末状の生成物を得た。得られた粉末状の生成物を用いて示差熱・熱重量同時測定装置で質量減少率を測定した。測定条件は窒素ガス雰囲気（１００ｍＬ／ｍｉｎ）で室温から４００℃まで１０℃／ｍｉｎの速度で昇温した。４００℃まで加熱したときの質量減少率は２８％であった。
【００４１】
ネロールの代わりに他の芳香分子を用いて、同じ条件で録香後、示差熱・熱重量同時測定装置で質量減少率を測定した。その結果を表１にまとめて示す。
【００４２】
【表１】
2019205772.tif 000003
【００４３】
表１に示すように、貯蔵材ＭＯＦのみの時と比べて質量減少率が増加していることから、直接混合により芳香成分がＭＯＦに吸着又は吸蔵されることが確認された。
【００４４】
実施例２：気化蒸着の例
ミクロチューブ（アズワン株式会社製、製品番号０２０４６３０１）にＭＯＦ（Ｓｉｇｍａ−Ａｌｄｒｉｃｈ社製、商品名：Ｂａｓｏｌｉｔｅ  Ｚ１２００、製品番号Ａｌｄｒｉｃｈ  ６９１３４８）を１００ｍｇ加えた。サンプルバイアル（ラボランスクリュー管瓶Ｎｏ．７）５０ｍＬに芳香分子（ネロール、富士フイルム和光純薬株式会社製、３５９−２０２６２）を２ｍＬ加えた後、前記ＭＯＦを含むミクロチューブを同封し、スクリュー部にテフロン（登録商標）テープ（ＰＴＦＥ）をまきつけた後に蓋を閉じ、密封した。
【００４５】
前記サンプルバイアルの密封容器中で１５日静置した後に、前記密封容器から貯蔵材を取り出して、示差熱・熱重量同時測定装置で質量減少率を測定した。測定条件は窒素ガス雰囲気（１００ｍＬ／ｍｉｎ）で室温から４００℃まで１０℃／ｍｉｎの速度で昇温した。４００℃まで加熱したときの質量減少率は４．０％であった。ここで、１５日静置後に取り出して得られた生成物は粉末状であった。
【００４６】
ネロールの代わりに他の芳香分子も同じ条件で録香後、示差熱・熱重量同時測定装置で質量減少率を測定した。その結果を表２に示す。貯蔵材ＭＯＦのみの時と比べて質量減少率が増加していることから、気化蒸着により芳香分子が貯蔵材に吸着又は吸蔵されたことが分かる。
【００４７】
【表２】
2019205772.tif 000004
【００４８】
実施例３：送風機を用いた気化蒸着の例
図１に示す実験装置を設定し、送風機を用いた気化蒸着による録香方法を検討した。図１に示すように、ガーゼからなる２つのフィルターの間に貯蔵材ＭＯＦ（Ｓｉｇｍａ−Ａｌｄｒｉｃｈ社製、商品名：Ｂａｓｏｌｉｔｅ  Ｚ３７７、製品番号Ａｌｄｒｉｃｈ  ７９４３２５）２０ｍｇを挟み、送風機（ＣＡＰＴＡＩＮ  ＳＴＡＧ  ＯＵＴＤＯＯＲ  ＧＥＡＲ：電池式  Ｍ−７５８０）の送風口に輪ゴムで固定した。アルミ容器（直径５ｃｍ、高さ１ｃｍ）に芳香分子の混合物（グレープフルーツエッセンシャルオイル、株式会社生活の木製）２．０ｇを加えた。送風機とアルミ容器をポリバッグ（５００ｍＬ）に入れて密封後、送風機のスイッチを入れて１時間送風した。
【００４９】
その後、貯蔵材を取り出して、示差熱・熱重量同時測定装置で質量減少率を測定した。測定条件は窒素ガス雰囲気（１００ｍＬ／ｍｉｎ）で室温から４００℃まで１０℃／ｍｉｎの速度で昇温した。４００℃まで加熱したときの質量減少率は１９％であった。
【００５０】
本実施例で使用した芳香分子の混合物（グレープフルーツエッセンシャルオイル、株式会社生活の木製）は、実施例２に使用した芳香成分に比べて高分子量で、揮発しにくい成分であるにもかかわらず、測定した質量減少率は実施例２の場合よりも大きくなっており、貯蔵材ＭＯＦに吸着又は吸蔵される芳香成分の量が多くなることが分かる。このように、送風機を用いた気化蒸着の方法は、気化蒸着だけの方法と比べて、ＭＯＦへの芳香成分の録香効果が高いことが確認された。
【００５１】
実施例４：芳香成分の分析例
乾燥窒素４Ｌを入れたスマートバック内に、ラベンダーフランスエッセンシャルオイル（株式会社生活の木製）２μＬを添加して前記スマートバック内に充満させた。次に、このバック内の充満ガスを０．０４Ｌ採取し、乾燥窒素ガス４Ｌを入れた別のスマートバック内に添加して希釈充満させた。多孔性配位高分子としてＢｅｓｏｌｉｔｅ  Ｚ３７７の２５ｍｇをガラス管に秤取し、この希釈ガス０．２Ｌを前記Ｂｅｓｏｌｉｔｅ  Ｚ３７７に捕集させて試料を調製した。
【００５２】
このようにして録香させたＢａｓｏｌｉｔｅ  Ｚ３７７を３００℃、２時間加熱した後、気化したラベンダーエッセンシャルオイルを送風により吸着させ、その後、気化成分をガスクロマトグラフィーで分析した。ガスクロマトグラフィーにはＴＤＵ式、ガスクロマトグラフ：Ａｇｉｌｅｎｔ  ７８９０、質量分析計：５９７５Ｃ  ＭＳＤ、カラム：ＤＢ−ＷＡＸ（６０ｍ、直径０．２５ｍｍ、膜厚０．２５μｍ）、キャリアガス：ヘリウム（２．４５ｍＬ／ｍｉｎ）を用い、オーブン温度（保持時間）：４０℃（３ｍｉｎ）−５℃／ｍｉｎ−２５０℃（５ｍｉｎ）の条件で分析を行った。
【００５３】
参考として、Ｂｅｓｏｌｉｔｅ  Ｚ３７７の代わりに、におい分析において加熱脱離用捕集充填剤として一般的に用いられるＴｅｎａｘ  ＴＡを用いて上記と同じ方法でガスクロマトグラフィー分析を行った。本実施例の分析結果を、Ｔｅｎａｘ  ＴＡと対比することにより、Ｂｅｓｏｌｉｔｅ  Ｚ３７７においてラベンダーフランスエッセンシャルオイルの芳香が確実に再現されるかを確認することができる。分析結果を表３に示す。
【００５４】
【表３】
2019205772.tif 000005
【００５５】
表３に示すガスクロマトグラフィー分析の結果から、Ｂｅｓｏｌｉｔｅ  Ｚ３７７は、脱着成分やその比率に多少の違いがあるものの、参考例のＴｅｎａｘ  ＴＡと同じようにエッセンシャルオイルの芳香を確実に再現できることが分かった。
【００５６】
以上のように、本発明による多孔性配位高分子を用いる録香方法は、固体状、液状の芳香成分を化学的安定な状態で小型デバイスに組み込むことができる。それにより前記小型デバイスから好きな時に好きな香りを放出させることができるとともに、繰り返して前記小型デバイスに芳香成分を保存することが可能となる。
【図１】
2019205772.tif 000006